(57)【要約】【課題】光ファイバ等のネットワークにおける、工事作業の信頼性向上と高効率化を実現するケーブル心線管理システム及びケーブル心線管理方法並びにケーブル心線管理プログラムを提供する。【解決手段】ＰＤＡ・３は、心線情報を管理する管理サーバ・１に対して、作業情報と、作業情報が示す作業対象の既設心線及び切替先心線の心線識別子と対応する識別コードの要求を送信する。管理サーバ・１は、データ要求を受信して、要求データを返信する。ＰＤＡ・３は、作業情報と識別コードとを受信する。またＰＤＡ・３は、既設心線、切替先心線に付加された識別コードを読み取る２次元コードリーダ３−１より、識別コードの入力を受ける。管理サーバ１から受信した識別コードが２次元コードリーダ３−１から入力された識別コードと一致すれば、ＰＤＡ・３はこれを切替作業予定の心線であると判定し、判定結果を表示する。【選択図】  図１
2004219644.tif 000002
【特許請求の範囲】
【請求項１】
心線情報を管理するサーバと、該サーバとデータ通信を行う携帯端末とからなる心線管理システムであって、
前記サーバは、
既設心線の心線識別子である第１の心線識別子及び該第１の心線識別子と対応する第１の識別コードからなる既設心線情報と、切替先心線の心線識別子である第２の心線識別子及び該第２の心線識別子と対応する第２の識別コードからなる切替先心線情報と、前記既設心線を該切替先心線に切り替える作業情報とを記憶する記憶手段と、
前記携帯端末からのデータ要求を受信し、要求のあったデータを前記記憶手段より読み出して送信する第１の送受信手段と
を具備し、
前記携帯端末は、
前記サーバに対して、前記作業情報と、該作業情報が示す作業対象の既設心線及び切替先心線の第１、第２の識別コードの要求を送信し、該作業情報と、前記第１、第２の識別コードを受信する第２の送受信手段と、
前記既設心線、前記切替先心線に付加された第３、第４の識別コードを読み取る識別情報読取手段と、
前記第１の識別コードが前記第３の識別コードと一致し、前記第２の識別コードが、前記第４の識別コードと一致すれば、これを切替作業予定の心線であると判定し、一致しない場合は、これを切替作業予定の心線でないと判定する判定手段と、
該判定結果を表示する表示手段と
を具備する
ことを特徴とする心線管理システム。
【請求項２】
前記識別コードは、２次元コードである
ことを特徴とする請求項１に記載の心線管理システム。
【請求項３】
前記携帯端末は、さらに、
作業完了の入力を受けて、前記既設心線が前記切替先心線に切り替えられた更新後の設備情報を作成する更新情報作成手段
を具備するとともに、
前記第２の送受信手段が、さらに、該更新した設備情報を前記サーバに送信し、
前記サーバは、さらに、
前記既設心線及び前記切替先心線を収容する設備の設備情報を記憶する第２の記憶手段と、
前記更新された設備情報に基づいて、該第２の記憶手段が記憶する設備情報を更新する設備情報更新手段と
を具備する
ことを特徴とする請求項１又は請求項２に記載の心線管理システム。
【請求項４】
前記更新情報作成手段は、さらに、固定資産数量及び取得日付を設備情報に関連付けて前記設備情報を作成する
ことを特徴とする請求項３に記載の心線管理システム。
【請求項５】
心線情報を管理するサーバであって、既設心線の心線識別子である第１の心線識別子及び該第１の心線識別子と対応する第１の識別コードからなる既設心線情報と、切替先心線の心線識別子である第２の心線識別子及び該第２の心線識別子と対応する第２の識別コードからなる切替先心線情報と、前記既設心線を該切替先心線に切り替える作業情報とを記憶する記憶手段とを有するサーバとデータ通信を行う携帯端末であって、
前記サーバに対して、前記作業情報と、該作業情報が示す作業対象の既設心線及び切替先心線の第１、第２の識別コードの要求を送信し、該作業情報と、前記第１、第２の識別コードを受信する送受信手段と、
前記既設心線、前記切替先心線に付加された第３、第４の識別コードを読み取る識別情報読取手段より、該第３、第４の識別コードの入力を受ける入力手段と、
前記第１の識別コードが前記第３の識別コードと一致し、前記第２の識別コードが、前記第４の識別コードと一致すれば、これを切替作業予定の心線であると判定し、一致しない場合は、これを切替作業予定の心線でないと判定する判定手段と、
該判定結果を表示する表示手段と
を具備することを特徴とする携帯端末。
【請求項６】
携帯端末が、心線情報を管理するサーバであって、既設心線の心線識別子である第１の心線識別子と、該第１の心線識別子と対応する第１の識別コードとからなる既設心線情報と、切替先心線の心線識別子である第２の心線識別子と、該第２の心線識別子と対応する第２の識別コードとからなる切替先心線情報と、前記既設心線を該切替先心線に切り替える作業情報を記憶する記憶手段を有するサーバに対して、該作業情報と、該作業情報が示す作業対象の既設心線及び切替先心線の第１、第２の識別コードの要求を送信し、
前記サーバが、前記携帯端末からデータ要求を受信して、要求データを送信し、
前記携帯端末が、該作業情報と、前記第１、第２の識別コードとを受信し、
前記既設心線、前記切替先心線に付加された第３、第４の識別コードを読み取る識別情報読取手段より、該第３、第４の識別コードの入力を受け、
前記第１の識別コードが前記第３の識別コードと一致し、前記第２の識別コードが、前記第４の識別コードと一致すれば、これを切替作業予定の心線であると判定し、一致しない場合は、これを切替作業予定の心線でないと判定し、
該判定結果を表示する
ことを特徴とする心線管理方法。
【請求項７】
心線情報を管理するサーバであって、既設心線の心線識別子である第１の心線識別子及び該第１の心線識別子と対応する第１の識別コードからなる既設心線情報と、切替先心線の心線識別子である第２の心線識別子及び該第２の心線識別子と対応する第２の識別コードからなる切替先心線情報と、前記既設心線を該切替先心線に切り替える作業情報とを記憶する記憶手段とを有するサーバとデータ通信を行う携帯端末において実行されるプログラムであって、
前記サーバに対して、前記作業情報と、該作業情報が示す作業対象の既設心線及び切替先心線の第１、第２の識別コードの要求を送信し、該作業情報と、前記第１、第２の識別コードを受信する処理と、
前記既設心線、前記切替先心線に付加された第３、第４の識別コードを読み取る識別情報読取手段より、該第３、第４の識別コードの入力を受ける処理と、
前記第１の識別コードが前記第３の識別コードと一致し、前記第２の識別コードが、前記第４の識別コードと一致すれば、これを切替作業予定の心線であると判定し、一致しない場合は、これを切替作業予定の心線でないと判定する処理と、
該判定結果を表示する処理と
を実行させるための心線管理プログラム。
【発明の詳細な説明】
【０００１】
【発明の属する技術分野】
本発明は、光ファイバ等に識別コードを付与し、関連する設備情報や作業情報と紐付けてデータベース管理し、工事の高効率化・高品質化を図るためのケーブル心線管理システム及びケーブル心線管理方法並びにケーブル心線管理プログラムに関する。
【０００２】
【従来の技術】
光ファイバ線路網の拡大により，光ケーブルの布設あるいは障害復旧における工事の効率化あるいは高品質化が要求されている。工事の効率化・高品質化を実現するためには、例えば、光ケーブルの布設工事等に伴う光ファイバの心線切替作業時においては、類似した多数の光ファイバの中から、より正確かつ効率的に作業予定の心線を特定することが必要となる。
従来、光ファイバ心線を機械的に特定する技術として、識別記号が付加されたコードを印刷したシートを光ファイバ心線に被せ、これをペン型のコードリーダで読み取る方法がある（特許文献１〜３を参照）。
この方法によれば、類似の光ファイバ心線を極めて高い精度で特定することができる。
【０００３】
【特許文献１】
特開２００１−５７６８３号公報
【特許文献２】
特開平１１−２９５５６６号公報
【特許文献３】
特開平９−１８４９４９号公報
【０００４】
【発明が解決しようとする課題】
しかし、実際に作業現場において作業を行う上で、特定した心線をどのコネクタからどのコネクタへつなぎ変えるといった作業内容の確認は、機械的にサポートされておらず、ヒューマンエラーによる作業内容の確認ミス等の事故が発生した場合、光ネットワークの信頼性に重大な問題を与えかねないという問題点がある。
また、従来、コードに付加された識別情報と管理データベースにおける心線情報及び作業情報を機械的に対応付ける仕組みが存在せず、人が作業記録やデータベース更新を行っている。このため、前述の事例と同様に、ヒューマンエラーへの対処が問題となっている。
【０００５】
本発明は、このような事情を考慮してなされたものであり、その目的は、光ファイバ等のネットワークにおける、工事作業の信頼性向上と高効率化を実現するケーブル心線管理システム及びケーブル心線管理方法並びにケーブル心線管理プログラムを提供することにある。
【０００６】
【課題を解決するための手段】
この発明は上記の課題を解決すべくなされたもので、請求項１に記載の発明は、心線情報を管理するサーバと、該サーバとデータ通信を行う携帯端末とからなる心線管理システムであって、前記サーバは、既設心線の心線識別子である第１の心線識別子及び該第１の心線識別子と対応する第１の識別コードからなる既設心線情報と、切替先心線の心線識別子である第２の心線識別子及び該第２の心線識別子と対応する第２の識別コードからなる切替先心線情報と、前記既設心線を該切替先心線に切り替える作業情報とを記憶する記憶手段と、前記携帯端末からのデータ要求を受信し、要求のあったデータを前記記憶手段より読み出して送信する第１の送受信手段とを具備し、前記携帯端末は、前記サーバに対して、前記作業情報と、該作業情報が示す作業対象の既設心線及び切替先心線の第１、第２の識別コードの要求を送信し、該作業情報と、前記第１、第２の識別コードを受信する第２の送受信手段と、前記既設心線、前記切替先心線に付加された第３、第４の識別コードを読み取る識別情報読取手段と、前記第１の識別コードが前記第３の識別コードと一致し、前記第２の識別コードが、前記第４の識別コードと一致すれば、これを切替作業予定の心線であると判定し、一致しない場合は、これを切替作業予定の心線でないと判定する判定手段と、該判定結果を表示する表示手段とを具備することを特徴とする。
【０００７】
請求項２に記載の発明は、請求項１に記載の発明において、前記識別コードは、２次元コードであることを特徴とする。
【０００８】
請求項３に記載の発明は、請求項１又は請求項２に記載の発明において、前記携帯端末は、さらに、作業完了の入力を受けて、前記既設心線が前記切替先心線に切り替えられた更新後の設備情報を作成する更新情報作成手段を具備するとともに、前記第２の送受信手段が、さらに、該更新した設備情報を前記サーバに送信し、前記サーバは、さらに、前記既設心線及び前記切替先心線を収容する設備の設備情報を記憶する第２の記憶手段と、前記更新された設備情報に基づいて、該第２の記憶手段が記憶する設備情報を更新する設備情報更新手段とを具備することを特徴とする。
【０００９】
請求項４に記載の発明は、請求項３に記載の発明において、前記更新情報作成手段は、さらに、固定資産数量及び取得日付を設備情報に関連付けて前記設備情報を作成することを特徴とする。
【００１０】
請求項５に記載の発明は、心線情報を管理するサーバであって、既設心線の心線識別子である第１の心線識別子及び該第１の心線識別子と対応する第１の識別コードからなる既設心線情報と、切替先心線の心線識別子である第２の心線識別子及び該第２の心線識別子と対応する第２の識別コードからなる切替先心線情報と、前記既設心線を該切替先心線に切り替える作業情報とを記憶する記憶手段とを有するサーバとデータ通信を行う携帯端末であって、前記サーバに対して、前記作業情報と、該作業情報が示す作業対象の既設心線及び切替先心線の第１、第２の識別コードの要求を送信し、該作業情報と、前記第１、第２の識別コードを受信する送受信手段と、前記既設心線、前記切替先心線に付加された第３、第４の識別コードを読み取る識別情報読取手段より、該第３、第４の識別コードの入力を受ける入力手段と、前記第１の識別コードが前記第３の識別コードと一致し、前記第２の識別コードが、前記第４の識別コードと一致すれば、これを切替作業予定の心線であると判定し、一致しない場合は、これを切替作業予定の心線でないと判定する判定手段と、該判定結果を表示する表示手段とを具備することを特徴とする。
【００１１】
請求項６に記載の発明は、携帯端末が、心線情報を管理するサーバであって、既設心線の心線識別子である第１の心線識別子と、該第１の心線識別子と対応する第１の識別コードとからなる既設心線情報と、切替先心線の心線識別子である第２の心線識別子と、該第２の心線識別子と対応する第２の識別コードとからなる切替先心線情報と、前記既設心線を該切替先心線に切り替える作業情報を記憶する記憶手段を有するサーバに対して、該作業情報と、該作業情報が示す作業対象の既設心線及び切替先心線の第１、第２の識別コードの要求を送信し、前記サーバが、前記携帯端末からデータ要求を受信して、要求データを送信し、前記携帯端末が、該作業情報と、前記第１、第２の識別コードとを受信し、前記既設心線、前記切替先心線に付加された第３、第４の識別コードを読み取る識別情報読取手段より、該第３、第４の識別コードの入力を受け、前記第１の識別コードが前記第３の識別コードと一致し、前記第２の識別コードが、前記第４の識別コードと一致すれば、これを切替作業予定の心線であると判定し、一致しない場合は、これを切替作業予定の心線でないと判定し、該判定結果を表示することを特徴とする。
【００１２】
請求項７に記載の発明は、心線情報を管理するサーバであって、既設心線の心線識別子である第１の心線識別子及び該第１の心線識別子と対応する第１の識別コードからなる既設心線情報と、切替先心線の心線識別子である第２の心線識別子及び該第２の心線識別子と対応する第２の識別コードからなる切替先心線情報と、前記既設心線を該切替先心線に切り替える作業情報とを記憶する記憶手段とを有するサーバとデータ通信を行う携帯端末において実行されるプログラムであって、前記サーバに対して、前記作業情報と、該作業情報が示す作業対象の既設心線及び切替先心線の第１、第２の識別コードの要求を送信し、該作業情報と、前記第１、第２の識別コードを受信する処理と、前記既設心線、前記切替先心線に付加された第３、第４の識別コードを読み取る識別情報読取手段より、該第３、第４の識別コードの入力を受ける処理と、前記第１の識別コードが前記第３の識別コードと一致し、前記第２の識別コードが、前記第４の識別コードと一致すれば、これを切替作業予定の心線であると判定し、一致しない場合は、これを切替作業予定の心線でないと判定する処理と、該判定結果を表示する処理とを実行させるための心線管理プログラムである。
【００１３】
【発明の実施の形態】
以下、図面を参照して本発明の心線管理システムの実施形態について説明する。図１は、本実施形態のケーブル心線管理システムの全体構成を示す全体構成図である。本実施形態のケーブル心線管理システムは、管理サーバ１と、ユーザ端末２と、ＰＤＡ・３と、携帯電話端末４とをインターネット１０を介して接続して構成される。
管理サーバ１は、心線管理事業者等が設置する心線情報中央管理サーバであって、光ファイバ心線やその他の設備に関する情報データを格納する４つのデータベース、すなわち、設備情報ＤＢ（＝データベース）・２０、ファイバ情報ＤＢ・２１、占用資産ＤＢ・２２、２次元コード管理ＤＢ・２３を有しており、これらのデータベース管理を行う。
【００１４】
ファイバ情報ＤＢ・２０は、既設心線に関する情報として、ビル名、ＣＴＦ名、ユニット番号、設備名、ケーブル名、ケーブル番号、クロージャー番号、トレイ番号、端子番号、テープ番号、心線番号、線番、回線名、作業有無、対応する２次元コード等、また、切替先心線に関する情報として、ＣＴＦ名、ユニット番号、ケーブル番号、トレイ番号、端子番号、テープ番号、線番、対応する２次元コード等、また、既設心線を切替先心線に切り替える作業に関する情報として、作業番号、作業形態、作業開始時間、作業終了時間、作業内容（月日時間、工事名、期間、管理人、電話番号、作業場所、作業担当者名）などを記憶している。
設備情報ＤＢ・２１は、既設心線及び切替先心線を収容する設備（ＣＴＦ、クロージャ等）の光ファイバの接続状況等を示す設備情報、また、上記２次元コード等に関連付けられた光ケーブルのルート管理情報、ルート上の点設備（電柱や情報ボックスなどの光ケーブルを収容するマンホール）に関する点設備情報、マンホールとマンホールの間というように、２つの点設備の区間を示す区間設備情報、ルート上の中継局ビル等の中継設備情報等を記憶している。
占用資産ＤＢ・２２は、ファイバ心線、クロージャ、ＣＴＦ、ビル、電柱、マンホール、ハンドホール、情報ボックス等の固有資産の所有状況及び占用状況に関する情報を記憶している。
２次元コード管理ＤＢ・２３は、ファイバ心線、ＣＴＦ、ＦＴＭ、クロージャ、ビル、電柱、マンホール、ハンドホール、情報ボックス等に付加された２次元コード（図２を参照）とそれぞれの識別子との対応関係等を記憶している。
【００１５】
ユーザ端末２は、ＰＤＡ・３、携帯電話端末４と同様に管理サーバ１のデータベースを利用及び更新するクライアント機器である。
ＰＤＡ・３、携帯電話端末４は、ともに２次元コードリーダ３−１、４−１と接続されており、２次元コードが付加されたファイバ心線の切替作業場所で使用されることを前提としている。ここでいう切替作業場所とは、例えば、中継局内におけるＣＴＦ設置場所、マンホール、ハンドホール内のクロージャ設置場所等である。
【００１６】
次に図面を参照して、本実施形態のケーブル心線管理システムにおける心線管理に関する処理の流れについて説明する。ここで、クライアント機器の代表として、ＰＤＡ・３を用いた場合について説明し、携帯電話端末４を用いる場合は、これと同様であるため、説明を省略する。
新規に光ケーブルが敷設され、ＣＴＦ架、クロージャ、電柱、マンホール等が増設されると、すべての光ファイバ、光ケーブル１本１本、ＣＴＦ架、クロージャ、電柱、マンホール１つ１つに２次元コードが発行され、管理サーバ１のデータベースに登録される。
【００１７】
架空ケーブルの地下化によって、既設光ケーブルのルート変更が必要になった場合、例えば、図３に示すようなケーブル、ファイバの切替が行われる。図３に示す例は、切替箇所２のクロージャから切替箇所３のクロージャ間の既存架空光ケーブルから地下に埋設した新設の光ケーブルへルートを切り替える場合である。この場合、切替作業者は、切替箇所１〜４で切替作業を行う必要が発生する。
まず切替箇所１と切替箇所２との間で心線の切替を行う場合について説明する。
切替箇所１側の作業者は、ＰＤＡ・３を立ち上げて、図４に示す初期画面Ｄ１（ＰＤＡ・３の表示部に表示される）において工事内容確認ボタンをタッチペン等で直接クリックする。ＰＤＡ・３は、これを受けて、管理サーバ１に対して、作業日が今日である作業情報の要求を送信する。
【００１８】
管理サーバ１は、作業日が今日となっている作業情報をファイバ情報ＤＢ・２０より読み出し、かつ、読み出した作業情報が示す作業対象の既設心線及び切替先心線の心線番号に基づいて、対応する識別コード（既設のファイバ心線及びこれを収容するケーブルの識別コード、切替先のファイバ心線及びこれを収容するケーブルの識別コード等）を読み出して、ＰＤＡ・３に対して送信する。
ＰＤＡ・３はこれを受信すると、これをＲＡＭ等の一時記憶メモリに記憶した後、作業日が今日の作業情報の一覧を表示する（画面Ｄ２を参照）。一覧には、作業日、作業名、作業開始時間、作業終了時間、作業状態が表示される。
ここで、ユーザが所望の作業を選択して、工事情報ボタン又は詳細ボタンをクリックすると、ＰＤＡ・３はＲＡＭに記憶された工事名、工期、工事管理人、管理人連絡先等の工事情報（画面Ｄ３を参照）、作業対象となっているファイバ端子等の情報（ＣＴＦの画像、クロージャの画像、これら収容機器内における端子配列状態の拡大画像等）、ケーブル情報、切替元である既設心線情報、切替先心線情報等の工事詳細（画面Ｄ４を参照）を読み出して、これらを表示する。
【００１９】
切替箇所１において、作業者は、ＰＤＡ・３に表示された工事情報、工事詳細が自分が担当の作業であることを確認した後、ファイバ心線の切替作業を開始する。
作業者は、まずコネクタを外すべきファイバ心線を収容するＣＴＦ架を特定する。すなわち、作業者は、ＰＤＡ・３（画面Ｄ４を参照）に表示された工事詳細が示す架Ｎｏ：Ａ１２３（・・・）に基づいて、ＣＴＦ架の２次元コードを２次元コードリーダ３−１を用いて読み取る。２次元コードリーダ３−１は、読み取った２次元コードからＣＴＦの識別コードを復号し、ＰＤＡ・３に対して出力する。ＰＤＡ・３は、これを受けてＣＴＦの識別コードと、上記架Ｎｏとが一致するか否かを判定し、これが一致した場合は、コネクタを外すべきファイバ心線を収容するＣＴＦ架である旨を表示する。
ＣＴＦ架が特定されたことを受けて、作業者は、次にコネクタを外すべきファイバ心線を特定するために、読取開始ボタンをクリックする。
ＰＤＡ・３はこれを受けて、作業対象のファイバ心線を収容するケーブルの情報（端子配列状態の拡大画像内のケーブルの２次元コードの位置）、ファイバ心線の情報（架番号、棚番号、心線番号、回線名等）、作業内容（取外し、取付）をＲＡＭより読み出して、これを表示する（図５の画面Ｄ５を参照）。
【００２０】
作業者は、ＰＤＡ・３に表示された２次元コードの位置等に基づいて、ケーブルの２次元コードを２次元コードリーダ３−１を用いて読み取る。
２次元コードリーダ３−１は、読み取った２次元コードからケーブルの識別コードを復号し、ＰＤＡ・３に対して出力する。
ＰＤＡ・３は、読み取ったケーブルの識別コードの入力を受けて、これを管理サーバ１から受信した識別コードと比較し、一致すれば、これを切替作業予定のケーブルであると判定し、一致しない場合は、これを切替作業予定のケーブルでないと判定する。切替作業予定のケーブルであると判定した場合、ＰＤＡ・３は、次の作業を促すために、画面Ｄ５に表示される「次へ」ボタンをクリック可能に変更する。一方、切替作業予定のケーブルでないと判定した場合、ＰＤＡ・３は、「次へ」ボタンはクリックできない（次の作業画面に移行できない）状態に保持し、再度読込を促すメッセージ等を表示する。図５に示す画面Ｄ５では、読み取った２次元コードが切替作業予定のケーブルであると判定された場合の表示例を示している。
ここで、画面Ｄ５に示すように、切替作業予定のケーブルであると判定した場合、例えば、「作業対象のコードと一致しました」「マーキングを施してください」といったメッセージを表示し、作業者に対してユーザフレンドリーなインターフェイスを備えることも有効である。
【００２１】
作業対象のケーブルの特定が完了すると、次に、作業者は、作業対象のファイバ心線の特定作業を行う。すなわち、作業者は、画面Ｄ５の「次へ」ボタンをクリックする。ＰＤＡ・３はこれを受けて、作業対象のファイバ心線の情報（端子配列状態の拡大画像内のファイバ心線の２次元コードの位置）、ファイバ心線の情報（架番号、棚番号、心線番号、回線名等）、作業内容（取外し、取付）をＲＡＭより読み出して、これを表示する（図５の画面Ｄ６を参照）。
【００２２】
作業者は、ＰＤＡ・３に表示された２次元コードの位置等に基づいて、ファイバ心線の２次元コードを２次元コードリーダ３−１を用いて読み取る。
２次元コードリーダ３−１は、読み取った２次元コードからファイバ心線の識別コードを復号し、ＰＤＡ・３に対して出力する。
ＰＤＡ・３は、読み取ったファイバ心線の識別コードの入力を受けて、これを管理サーバ１から受信した識別コードと比較し、一致すれば、これを切替作業予定のファイバ心線であると判定し、一致しない場合は、これを切替作業予定のファイバ心線でないと判定する。切替作業予定のファイバ心線であると判定した場合、ＰＤＡ・３は、次の作業を促すために、画面Ｄ６に表示される「読取開始」ボタンをクリック可能に変更する。一方、切替作業予定のファイバ心線でないと判定した場合、ＰＤＡ・３は、「読取開始」ボタンはクリックできない（次の作業画面に移行できない）状態に保持し、再度読込を促すメッセージ等を表示する。
図５に示す画面Ｄ６では、読み取った２次元コードが切替作業予定のファイバ心線であると判定された場合の表示例を示している。
【００２３】
作業対象のファイバ心線の特定が完了すると、次に、作業者は、作業対象のファイバ心線のコネクタの取外し作業を行う。すなわち、作業者は、画面Ｄ６の「読取開始」ボタンをクリックする。ＰＤＡ・３はこれを受けて、図６のＤ１０に示す作業中の画面を表示する。作業中の画面が表示されたのを受けて、作業者は、特定したファイバ心線のコネクタを取り外す。そして、取外完了後、作業者は、画面Ｄ６の「作業終了」ボタンをクリックする。
ＰＤＡ・３は、これを受けて、作業終了確認のため、再度作業を行ったケーブルの識別コードと、切替元端子の識別コードを再度読み込む作業を促す画面を表示する（図６のＤ１１を参照）。
作業者は、まず画面Ｄ１１のケーブル識別コードボタンをクリックする。ＰＤＡ・３は、これを受けて、読取準備ボタンを表示する。作業者は、先ほど特定したケーブルの識別コードを２次元コードリーダ３−１を用いて読み込む。
次に、作業者は、画面Ｄ１１の切替元端子識別コードボタンをクリックする。ＰＤＡ・３は、これを受けて、読取準備ボタンを表示する。作業者は、先ほど特定したファイバ心線の識別コードを２次元コードリーダ３−１を用いて読み込む。
以上の作業完了確認のための読込作業が完了すると、ＰＤＡ・３は作業完了登録ボタンをクリック可能に変更する。作業者が作業完了登録ボタンをクリックすると、ＰＤＡ・３は既設心線及び切替先心線を収容する設備の光ファイバの接続状況等を示す設備情報を作成・更新し、更新された設備情報・作業情報を管理サーバ・１に対して送信する。
管理サーバ１は、これを受けて、ファイバ情報ＤＢ・２０、設備情報ＤＢ・２１を更新する。
以上で切替箇所１におけるコネクタ取外し作業が完了する。
【００２４】
切替箇所１でコネクタ取外し作業が完了したのを受けて、作業者は、切替箇所２において、切替箇所１でコネクタが取外されたファイバ心線を収容するクロージャを特定する。すなわち、切替箇所２において、作業者はＰＤＡ・３を立ち上げて、ファイバ心線の特定作業を開始する。
作業者は、まず切替箇所２において、切替箇所１でコネクタが外されたファイバ心線を特定するために、読取開始ボタンをクリックする。ＰＤＡ・３はこれを受けて、作業対象のファイバ心線を収容するケーブル及びクロージャの情報（クロージャにおける２次元コードの位置、クロージャ内における端子配列状態の拡大画像等）、切替箇所１でコネクタが外されたファイバ心線の情報（ケーブル名、クロージャ名、トレー番号）、作業内容（切断、接続）をＲＡＭより読み出して、これを表示する（図７の画面Ｄ２５を参照）。
作業者は、ＰＤＡ・３に表示されたクロージャ名：０１に基づいて、クロージャの２次元コードを２次元コードリーダ３−１を用いて読み取る。
２次元コードリーダ３−１は、読み取った２次元コードからクロージャの識別コードを復号し、ＰＤＡ・３に対して出力する。ＰＤＡ・３は、これを受けてクロージャの識別コードと、上記クロージャ名とが一致するか否かを判定し、これが一致した場合は、作業対象のクロージャである旨を表示する。
クロージャが特定されたことを受けて、作業者は、次に切替箇所１でコネクタが外されたファイバ心線を特定するために、心線確認ボタンをクリックする。
【００２５】
作業者は、ＰＤＡ・３に表示された２次元コードの位置等に基づいて、切替箇所１でコネクタが外されたファイバ心線（図７に示すトレー番号０１のファイバ心線）の２次元コードを２次元コードリーダ３−１を用いて読み取る。
２次元コードリーダ３−１は、読み取った２次元コードからファイバ心線の識別コードを復号し、ＰＤＡ・３に対して出力する。
ＰＤＡ・３は、読み取ったファイバ心線の識別コードの入力を受けて、これを管理サーバ１から受信した識別コードと比較し、一致すれば、これを切替作業予定のファイバ心線であると判定し、一致しない場合は、これを切替作業予定のファイバ心線でないと判定する。切替作業予定のファイバ心線であると判定した場合、ＰＤＡ・３は、次の作業を促すために、画面Ｄ２５に表示される「次へ」ボタンをクリック可能に変更する。一方、切替作業予定のファイバ心線でないと判定した場合、ＰＤＡ・３は、「次へ」ボタンはクリックできない（次の作業画面に移行できない）状態に保持し、再度読込を促すメッセージ等を表示する。図７に示す画面Ｄ２５では、読み取った２次元コードが切替作業予定のファイバ心線であると判定された場合の表示例を示している。
【００２６】
次に、作業者は、切替箇所２において、切替箇所２の３側の既設ファイバ心線（図３に示す、既存架空光ケーブル）の特定作業を行う。すなわち、作業者は、画面Ｄ２５の「次へ」ボタンをクリックする。ＰＤＡ・３はこれを受けて、作業対象のファイバ心線を収容するケーブル及びクロージャの情報（クロージャにおける２次元コードの位置、クロージャ内における端子配列状態の拡大画像等）、切替箇所２の３側の既設ファイバ心線の情報（ケーブル名、クロージャ名、トレー番号）、作業内容（切断、接続）をＲＡＭより読み出して、これを表示する（図７の画面Ｄ２６を参照）。
【００２７】
作業者は、ＰＤＡ・３に表示された２次元コードの位置等に基づいて、切替箇所２の３側の既設ファイバ心線（図７に示すトレー番号０１のファイバ心線）の２次元コードを２次元コードリーダ３−１を用いて読み取る。
２次元コードリーダ３−１は、読み取った２次元コードからファイバ心線の識別コードを復号し、ＰＤＡ・３に対して出力する。
ＰＤＡ・３は、読み取ったファイバ心線の識別コードの入力を受けて、これを管理サーバ１から受信した識別コードと比較し、一致すれば、これを切替作業予定のファイバ心線であると判定し、一致しない場合は、これを切替作業予定のファイバ心線でないと判定する。切替作業予定のファイバ心線であると判定した場合、ＰＤＡ・３は、次の作業を促すために、画面Ｄ２６に表示される「次へ」ボタンをクリック可能に変更する。一方、切替作業予定のファイバ心線でないと判定した場合、ＰＤＡ・３は、「次へ」ボタンはクリックできない（次の作業画面に移行できない）状態に保持し、再度読込を促すメッセージ等を表示する。
【００２８】
作業箇所１〜作業箇所２間における、作業対象のファイバ心線の特定が完了すると、作業者は、さらに、切替箇所２において、切替箇所２の３側の切替先ファイバ心線（図３に示す新設光ケーブル）の特定を行う。すなわち、作業者は、画面Ｄ２６の「次へ」ボタンをクリックする。ＰＤＡ・３はこれを受けて、作業対象のファイバ心線を収容するケーブル及びクロージャの情報（クロージャにおける２次元コードの位置、クロージャ内における端子配列状態の拡大画像等）、切替箇所２の３側の切替先ファイバ心線の情報（ケーブル名、クロージャ名、トレー番号）、作業内容（切断、接続）をＲＡＭより読み出して、これを表示する（図７の画面Ｄ２７を参照）。
【００２９】
作業者は、ＰＤＡ・３に表示された２次元コードの位置等に基づいて、ファイバ心線（図７に示すトレー番号０５のファイバ心線）の２次元コードを２次元コードリーダ３−１を用いて読み取る。
２次元コードリーダ３−１は、読み取った２次元コードからファイバ心線の識別コードを復号し、ＰＤＡ・３に対して出力する。
ＰＤＡ・３は、読み取ったファイバ心線の識別コードの入力を受けて、これを管理サーバ１から受信した識別コードと比較し、一致すれば、これを切替作業予定のファイバ心線であると判定し、一致しない場合は、これを切替作業予定のファイバ心線でないと判定する。切替作業予定のファイバ心線であると判定した場合、ＰＤＡ・３は、次の作業を促すために、画面Ｄ２７に表示される「作業開始」ボタンをクリック可能に変更する。一方、切替作業予定のファイバ心線でないと判定した場合、ＰＤＡ・３は、「作業開始」ボタンはクリックできない（次の作業画面に移行できない）状態に保持し、再度読込を促すメッセージ等を表示する。
図７に示す画面Ｄ２７では、読み取った２次元コードが切替作業予定のファイバ心線であると判定された場合の表示例を示している。
【００３０】
作業対象のファイバ心線の特定が完了すると、次に、作業者は、作業対象のファイバ心線の切断、接続作業を行う。すなわち、作業者は、画面Ｄ２７の「作業開始」ボタンをクリックする。ＰＤＡ・３はこれを受けて、図６のＤ１０に示す作業中の画面と同様の画面を表示する。作業中の画面が表示されたことを受けて、作業者は、特定した切替箇所１側の既設ファイバ心線（トレー番号０１）を切断し、これを切替箇所３側の切替先ファイバ心線（トレー番号０５）に融着して接続する。そして、切替完了後、作業者は、画面Ｄ１０の「作業終了」ボタンをクリックする。
ＰＤＡ・３は、これを受けて、作業終了確認のため、再度作業を行ったケーブルの識別コードと、切替元端子の識別コードを再度読み込む作業を促す画面を表示する。
【００３１】
作業者は、切替箇所２において、先程と同様の手順で、特定した切替箇所１側の既設ファイバ心線（トレー番号０１）、切替箇所３側の既設ファイバ心線（トレー番号０１）、切替箇所３側の切替先ファイバ心線（トレー番号０５）の識別コードを２次元コードリーダ３−１を用いて読み込む。
以上の作業完了確認のための読込作業が完了すると、ＰＤＡ・３は作業完了登録ボタンをクリック可能に変更する。作業者が作業完了登録ボタンをクリックすると、ＰＤＡ・３は既設心線及び切替先心線を収容する設備の光ファイバの接続状況等を示す設備情報を作成・更新し、更新された設備情報・作業情報を管理サーバ・１に対して送信する。
管理サーバ１は、これを受けて、ファイバ情報ＤＢ・２０、設備情報ＤＢ・２１を更新する。
以上で切替箇所２におけるコネクタ切替作業が完了する。
【００３２】
切替箇所２でコネクタ切替作業が完了したのを受けて、切替箇所１において、作業者が切替箇所１〜切替箇所２間で必要なパルス試験、光損失試験等を行った後、先ほどＣＴＦ架から取外したコネクタのファイバ心線の取り付けを行う。取付後、作業者が作業完了登録ボタンをクリックすると、ＰＤＡ・３は既設心線及び切替先心線を収容する設備の光ファイバの接続状況等を示す設備情報を作成・更新し、更新された設備情報・作業情報を管理サーバ・１に対して送信する。
管理サーバ１は、これを受けて、ファイバ情報ＤＢ・２０、設備情報ＤＢ・２１を更新する。
以上の作業により、切替箇所１〜切替箇所２間のファイバ心線切替作業が完了する。
【００３３】
また、切替箇所３〜４間においても、同様の手順で切替作業が行われる。切替箇所３〜４間のファイバ心線切替作業完了により、本切替作業は全て完了する。
【００３４】
以上説明したように、本実施形態のケーブル心線管理システムによれば、作業現場において作業を行う上で、ファイバ心線をどのコネクタからどのコネクタへつなぎ変えるといった作業内容の確認を、ＰＤＡ・３がデータベースと突き合わせて行うため、ヒューマンエラーによる作業内容の確認ミス等の事故を防止することができる効果が得られる。
また、ファイバ情報ＤＢ・２０や設備情報ＤＢ・２１における心線情報及び作業情報の管理・更新をＰＤＡ・３により行うため、ヒューマンエラーによる現地状況とデータベースの不整合の発生を防止できる効果が得られる。
【００３５】
なお、本実施形態のケーブル心線管理システムにおいては、心線特定において、まずケーブル心線又はクロージャを特定した後、このケーブル心線又はクロージャの中にある所望のファイバ心線を特定する場合の例を示したが、本発明はこれに限られず、例えば、所望のファイバ心線を直接特定してもよい。この場合、作業者において、予め作業対象のケーブル心線又はクロージャが特定されていれば、２次元コードの読取作業の一部を省略することができるため、切替にかかる作業時間を短縮することができる効果が得られる。
【００３６】
また、本実施形態のケーブル心線管理システムのＰＤＡ・３における表示画面例として、図４〜図７に示す画面について説明したが、本発明は、これに限られるものではない。すなわち、図８〜図１５に示すような収容表形式、確認画面形式、読込画面形式としてＰＤＡ・３が表示するようにしてもよい。
ＰＤＡ・３において、このような表示形式で画面表示を行う場合、ＰＤＡ・３の表示部における表示領域内（図８、図１１、図１２、図１５に示す表示枠Ｗ１）
に、表全体を表示することができない場合があるため、例えば、横スクロールバーを表示インターフェイスとして設け、このスクロールバーの操作によって、表示する表の部分を移動させることができるようにする。
また、選択された部分、あるいは、２次元コード読取の結果、作業対象であると特定された部分のセルの色をユーザに分かりやすいような色で表示するようにしてもよい。
こういったインターフェイスを採用することにより、ユーザの操作性を向上させることができるとともに、作業時間を短縮することができる効果が得られる。
【００３７】
また、本実施形態のケーブル心線管理システムにおいては、心線特定をＰＤＡ・３によって行う場合の例を示したが、本発明はこれに限られず、例えば、設備情報や各種情報（占用・固定資産情報等）を参照するのに用いることも考えられる。この場合、ファイバ情報ＤＢ・２０、設備情報ＤＢ・２１をＰＤＡ・３により活用することで、現地での設備情報検索にかかる時間を大幅に削減することができる効果が得られる。また、現況調査で現況確認日を識別コード読込日として、占用資産ＤＢ・２２を管理することで、設備情報データベース更新にかかる時間を大幅に削減することができる効果が得られる。
【００３８】
上述の管理サーバ１、ユーザ端末２、ＰＤＡ・３、携帯電話端末４は内部に、コンピュータシステムを有している。そして、上述した心線管理に関する一連の処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３９】
【発明の効果】
以上説明したように、本発明は、心線情報を管理するサーバと、このサーバとデータ通信を行う携帯端末とからなる心線管理システムであって、サーバは、既設心線の心線識別子である心線識別子と、この心線識別子と対応する識別コードとからなる既設心線情報と、切替先心線の心線識別子である心線識別子と、この心線識別子と対応する識別コードとからなる既設心線情報と、既設心線を切替先心線に切り替える作業情報とを記憶する記憶手段と、携帯端末からのデータ要求を受信し、要求のあったデータを前記記憶手段より読み出して送信する送受信手段とを具備し、携帯端末は、サーバに対して、作業情報と、作業情報が示す作業対象の既設心線及び切替先心線の心線識別子と対応する識別コードの要求を送信し、この作業情報と、識別コードを受信する送受信手段と、既設心線、切替先心線に付加された識別コードを読み取る識別情報読取手段より、識別コードの入力を受ける入力手段と、サーバから受信した識別コードが識別情報読取手段より入力された識別コードと一致すれば、これを切替作業予定の心線であると判定し、一致しない場合は、これを切替作業予定の心線でないと判定する判定手段と、判定結果を表示する表示手段とを具備するので、ヒューマンエラーによる作業内容の確認ミス等の事故を防止することができ、光ファイバ等のネットワークにおける、工事作業の信頼性向上と高効率化を実現することができる効果を得ることができる。
【図面の簡単な説明】
【図１】本実施形態のケーブル心線管理システムの全体構成を示す構成図である。
【図２】２次元コードをファイバ心線や各種設備に付加する様子を示す説明図である。
【図３】切替箇所２のクロージャ〜切替箇所３のクロージャ間の既存架空光ケーブルから地下に埋設した新設の光ケーブルへルートを切り替える様子を示す説明図である。
【図４】初期画面から作業対象ケーブル、ファイバ心線を選択するまでのＰＤＡ・３の画面構成の流れを示す図である。
【図５】切替箇所１において、作業対象のケーブル、ファイバ心線を特定する際のＰＤＡ・３の画面構成の流れを示す図である。
【図６】作業中及び作業完了登録までのＰＤＡ・３の画面構成の流れを示す図である。
【図７】切替箇所２において、作業対象のファイバ心線を特定する際のＰＤＡ・３の画面構成の流れを示す図である。
【図８】局内作業における、収容表の構成を示す構成図である。
【図９】局内作業における、確認画面の構成を示す構成図である。
【図１０】局内作業における、読込画面の構成を示す構成図である。
【図１１】設備情報検索における、収容表の構成を示す構成図である。
【図１２】局外作業における、収容表の構成を示す構成図である。
【図１３】局外作業における、確認画面の構成を示す構成図である。
【図１４】局外作業における、読込画面の構成を示す構成図である。
【図１５】局外作業における、収容表の構成を示す構成図である。
【符号の説明】
１…管理サーバ
２…ユーザ端末
３…ＰＤＡ
３−１、４−１…２次元コードリーダ
４…携帯電話端末
２０…ファイバ情報ＤＢ
２１…設備情報ＤＢ
２２…占有資産ＤＢ
２３…２次元バーコード管理ＤＢ
１０…インターネット
【図１】
2004219644.tif 000003
【図２】
2004219644.tif 000004
【図３】
2004219644.tif 000005
【図４】
2004219644.tif 000006
【図５】
2004219644.tif 000007
【図６】
2004219644.tif 000008
【図７】
2004219644.tif 000009
【図８】
2004219644.tif 000010
【図９】
2004219644.tif 000011
【図１０】
2004219644.tif 000012
【図１１】
2004219644.tif 000013
【図１２】
2004219644.tif 000014
【図１３】
2004219644.tif 000015
【図１４】
2004219644.tif 000016
【図１５】
2004219644.tif 000017